(57)【要約】【課題】面白いコンテンツを優先的に情報家電機器の表示装置に表示することができるコンテンツリスト管理方法を提供すること。【解決手段】内部装置８０が、複数のコンテンツの見出しを含むリスト情報を外部装置２０に送信する。そして、外部装置２０が、リスト情報に含まれる各見出しに関連するテキスト情報を含む関連コンテンツをコンテンツ格納手段から取得し、関連コンテンツから見出しの肯定的評価及び／又は否定的評価を示す評価基礎情報を抽出し、評価基礎情報に基づいて、各見出しに対応するコンテンツに対する評価値を算出し、各コンテンツの見出しとリスト情報に含まれる他の見出しとの関連度を算出し、評価値と関連度に基づいて、見出しの表示順序である推薦順を決定し、推薦順を示すリスト付加情報を内部装置８０に送信する。続いて、内部装置８０が、リスト付加情報に基づいて、リスト情報に含まれる見出しを並び替える。【選択図】図１
2008262460.tif 000002
【特許請求の範囲】
【請求項１】
所定の内部ネットワーク上の内部端末と通信可能であって、複数のコンテンツと前記コンテンツの見出しを格納している内部装置が、前記内部ネットワークと接続可能な外部ネットワーク上の外部装置からの情報に基づいて、前記コンテンツの見出しの表示順序を制御するコンテンツリスト管理方法であって、
前記内部装置が、前記内部端末から複数の前記コンテンツの見出しを含むリスト情報の送信要求を受信したことに応じて、前記リスト情報を前記外部装置に送信するステップと、
前記外部装置が、前記リスト情報に含まれる各前記見出しに関連するテキスト情報を含む関連コンテンツをコンテンツ格納手段から取得するステップと、
前記外部装置が、前記関連コンテンツから前記見出しの肯定的評価及び／又は否定的評価を示すテキスト情報である評価基礎情報を抽出するステップと、
前記外部装置が、前記評価基礎情報に基づいて、各前記見出しに対応する前記コンテンツに対する評価値を算出するステップと、
前記外部装置が、各前記コンテンツの前記見出しと、前記リスト情報に含まれる他の前記見出しとの関連度を算出するステップと、
前記外部装置が、前記評価値と前記関連度に基づいて、前記見出しの表示順序である推薦順を決定するステップと、
前記外部装置が、前記推薦順を示すリスト付加情報を前記内部装置に送信するステップと、
前記内部装置が、前記リスト付加情報に基づいて、前記リスト情報に含まれる前記見出しを並び替えるステップと、
を有することを特徴とするコンテンツリスト管理方法。
【請求項２】
前記リスト情報を前記外部装置に送信するステップに先立って、前記内部装置は、前記内部ネットワーク外の端末装置から、前記外部装置との通信経路とは別の通信経路を介して前記リスト情報の送信要求を受信したことに応じて前記リスト情報を前記外部装置に対して送信し、前記見出し情報を並び替えるステップにおいて並び替えた前記リスト情報を前記別の通信回路を介して前記内部ネットワーク外の前記端末装置に送信するステップをさらに含むことを特徴とする請求項１に記載のコンテンツリスト管理方法。
【請求項３】
複数のコンテンツと前記コンテンツの見出しを格納している内部装置を含んで構成される内部ネットワークと接続可能な外部ネットワーク上の外部装置であって、
前記内部装置から、複数の前記コンテンツの見出しを含むリスト情報を受信するリスト情報受信手段と、
前記リスト情報に含まれる各前記見出しに関連するテキスト情報を含む関連コンテンツをコンテンツ格納手段から取得する関連コンテンツ取得手段と、
前記関連コンテンツから前記見出しの肯定的評価及び／又は否定的評価を示すテキスト情報である評価基礎情報を抽出する評価基礎情報抽出手段と、
前記評価基礎情報に基づいて、各前記見出しに対応する前記コンテンツに対する評価値を算出する評価値算出手段と、
各前記コンテンツの前記見出しと、前記リスト情報に含まれる他の前記見出しとの関連度を算出する関連度算出手段と、
前記評価値と前記関連度に基づいて、前記見出しの表示順序である推薦順を決定する推薦順決定手段と、
前記推薦順を示すリスト付加情報を前記内部装置に送信するリスト付加情報送信手段と、
を有することを特徴とする外部装置。
【発明の詳細な説明】
【技術分野】
【０００１】
本発明は、  情報家電機器の表示装置のコンテンツリスト管理方法に関する。
【背景技術】
【０００２】
従来、ディスプレイ付き情報家電（デジタルテレビ（ＤＴＶ）、セットトップボックス（ＳＴＢ）等のＡＶプレーン、エアコン、冷蔵庫等の白物プレーン、ＰＣ、プリンタ、デジタルカメラ等のＰＣプレーンを含む）を端末（内部端末）として相互に接続し、内部ネットワークとして家庭内ネットワーク（いわゆるホームネットワーク）を構築することが行われている。この内部ネットワーク（家庭内ネットワーク；ホームネットワーク）においては、例えば、Ｄｉｇｉｔａｌ  Ｌｉｖｉｎｇ  Ｎｅｔｗｏｒｋ  Ａｌｌｉａｎｃｅ（デジタル・リビング・ネットワーク・アライアンス）；ＤＬＮＡ、ＵＰｎＰ、ＥＣＨＯＮＥＴ等のプロトコルが提案されている。
【０００３】
さらに、この内部ネットワーク（家庭内ネットワーク；ホームネットワーク）上の端末（内部端末；Ｈｏｍｅ  Ｄｅｖｉｃｅ（ＨＤ））としての情報家電は、例えば、Ｈｏｍｅ  Ａｃｃｅｓｓ（ＨＡ）；ゲートウェイ機器、Ｈｏｍｅ  Ｂｒｉｄｇｅ（ＨＢ）；ハブ及びルータ、Ｈｏｍｅ  Ｃｌｉｅｎｔ（ＨＣ）；各情報家電のコントローラ等を介して、外部ネットワーク（ＩＰネットワークを含む）に接続され、放送系サービスを主体とした一方向性のコンテンツ受信や、ＩＰ通信によるコミュニケーションサービス（インターネットを主体とした双方向通信）等を行っている。また、内部ネットワークを介して各種情報家電の遠隔操作・監視が行われ、さらにホームセキュリティー等の各種サービスも行われている。
【０００４】
ところで、これらの情報家電が外部ネットワーク上のコンテンツを取得する際には、一旦内部ネットワーク上の内部サーバにコンテンツを蓄積した後、当該情報家電が必要とするコンテンツを、内部ネットワークを介して内部サーバからダウンロードするようにしている。
【０００５】
例えば、当該内部サーバとしてのゲートウェイ装置が内部ネットワークを介して情報家電からコンテンツ取得アドレス、コンテンツ識別子、及びコンテンツ蓄積容量に関するデータを受信して、ＩＰネットワークを介してコンテンツ取得アドレスに応じたサーバからコンテンツを受信するようにしたものがあり、ここでは、コンテンツのコンテンツ識別子と情報家電のコンテンツ識別子とが一致した場合に、コンテンツ蓄積容量に応じて情報家電にコンテンツを送るようにしている（例えば、特許文献１参照）。
【０００６】
また、広域ネットワーク（ＷＡＮ）からローカルエリアネットワーク（ＬＡＮ）に接続された情報端末に情報を送信する際、内部サーバとしてのゲートウェイ装置がＷＡＮから受信した受信情報を一旦記憶し、この受信情報に関する同報通信情報を生成し、ＬＡＮ上に同報通信するようにしたものがある。ここで、情報端末は同報通信情報に基づいてゲートウェイ装置が受けた受信情報が必要であるか否かを判定して、必要である場合に情報端末からゲートウェイ装置に取得要求が行われて、ゲートウェイ装置から当該情報端末に受信情報がＬＡＮを介して送られる（特許文献２参照）。
【０００７】
そして、近時の記憶媒体の技術の進歩により、内部サーバの記憶容量は、極めて大きくなっており、例えば、２００ＧＢのＨＤＤであれば、５００時間以上の録画が可能になっている。このため、情報家電の表示部には膨大な量のコンテンツの見出しが表示されるから、このままでは、ユーザが視聴すべきコンテンツを判断することは困難である。これに対して、ユーザは、例えば、好きな俳優の氏名等の検索語を使用して特定のコンテンツを抽出して、コンテンツを視聴している。
【特許文献１】特開２００２−３２０２８２号公報
【特許文献２】特開２００３−２４４１８２号公報
【発明の開示】
【発明が解決しようとする課題】
【０００８】
しかし、好きな俳優が出ているコンテンツが面白いとは限らない。すなわち、番組の題名等にユーザが指定した検索語を含むコンテンツであっても、そのコンテンツが面白いとは限らない。このため、ユーザは、面白くないコンテンツを視聴し、無駄な時間をすごしてしまう場合があるという問題がある。
【０００９】
そこで、本発明は、面白いコンテンツを優先的に情報家電機器の表示装置に表示することができるコンテンツリスト管理方法を提供することを目的とする。
【課題を解決するための手段】
【００１０】
本発明は、具体的には次のようなものを提供する。
【００１１】
（１）  所定の内部ネットワーク上の内部端末と通信可能であって、複数のコンテンツと前記コンテンツの見出しを格納している内部装置が、前記内部ネットワークと接続可能な外部ネットワーク上の外部装置からの情報に基づいて、前記コンテンツの見出しの表示順序を制御するコンテンツリスト管理方法であって、前記内部装置が、前記内部端末から複数の前記コンテンツの見出しを含むリスト情報の送信要求を受信したことに応じて、前記リスト情報を前記外部装置に送信するステップと、前記外部装置が、前記リスト情報に含まれる各前記見出しに関連するテキスト情報を含む関連コンテンツをコンテンツ格納手段から取得するステップと、前記外部装置が、前記関連コンテンツから前記見出しの肯定的評価及び／又は否定的評価を示すテキスト情報である評価基礎情報を抽出するステップと、前記外部装置が、前記評価基礎情報に基づいて、各前記見出しに対応する前記コンテンツに対する評価値を算出するステップと、前記外部装置が、各前記コンテンツの前記見出しと、前記リスト情報に含まれる他の前記見出しとの関連度を算出するステップと、前記外部装置が、前記評価値と前記関連度に基づいて、前記見出しの表示順序である推薦順を決定するステップと、前記外部装置が、前記推薦順を示すリスト付加情報を前記内部装置に送信するステップと、前記内部装置が、前記リスト付加情報に基づいて、前記リスト情報に含まれる前記見出しを並び替えるステップと、を有することを特徴とするコンテンツリスト管理方法。
【００１２】
このような構成を備えることにより、外部装置は、見出しの表示順序である推薦順を決定し、その推薦順を示すリスト付加情報を内部装置に送信することができる。推薦順は評価基値と関連度に基づいているから、肯定的評価が多い結果として評価値が高く、かつ、関連度が高いほど推薦順は高くなり、ユーザの嗜好に合う。
そして、内部装置はリスト付加情報に基づいてリスト情報に含まれる見出しを並び替えることができるから、並び替えた後のリスト情報を表示することができる。
このため、内部装置は、面白いコンテンツを優先的に情報家電機器の表示装置に表示することができる。
【００１３】
（２）  （１）に記載の方法であって、前記リスト情報を前記外部装置に送信するステップに先立って、前記内部装置は、前記内部ネットワーク外の端末装置から、前記外部装置との通信経路とは別の通信経路を介して前記リスト情報の送信要求を受信したことに応じて前記リスト情報を前記外部装置に対して送信し、前記見出し情報を並び替えるステップにおいて並び替えた前記リスト情報を前記別の通信回路を介して前記内部ネットワーク外の前記端末装置に送信するステップをさらに含むことを特徴とするコンテンツリスト管理方法。
【００１４】
（３）  複数のコンテンツと前記コンテンツの見出しを格納している内部装置を含んで構成される内部ネットワークと接続可能な外部ネットワーク上の外部装置であって、前記内部装置から、複数の前記コンテンツの見出しを含むリスト情報を受信するリスト情報受信手段と、前記リスト情報に含まれる各前記見出しに関連するテキスト情報を含む関連コンテンツをコンテンツ格納手段から取得する関連コンテンツ取得手段と、前記関連コンテンツから前記見出しの肯定的評価及び／又は否定的評価を示すテキスト情報である評価基礎情報を抽出する評価基礎情報抽出手段と、前記評価基礎情報に基づいて、各前記見出しに対応する前記コンテンツに対する評価値を算出する評価値算出手段と、各前記コンテンツの前記見出しと、前記リスト情報に含まれる他の前記見出しとの関連度を算出する関連度算出手段と、前記評価値と前記関連度に基づいて、前記見出しの表示順序である推薦順を決定する推薦順決定手段と、前記推薦順を示すリスト付加情報を前記内部装置に送信するリスト付加情報送信手段と、を有することを特徴とする外部装置。
【００１５】
このような構成を備えることにより、ユーザの外出先においても、面白いコンテンツを優先的に情報家電機器の表示装置に表示することができる。
【発明の効果】
【００１６】
本発明よれば、面白いコンテンツを優先的に情報家電機器の表示装置に表示することができる表示制御方法を提供することができる。
【発明を実施するための最良の形態】
【００１７】
以下、本発明の実施形態について図面に基づいて説明する。
［システムの全体構成］
【００１８】
図１は、本発明の好適な実施形態の一例に係るコンテンツ送信システム１の全体構成を示す図である。まず、図１を参照すると、外部サーバ（Ｗｅｂサーバ）１０は、外部ネットワーク（ＩＰネットワークを含む）５０を介して、ユーザ家屋６０内に配置された内部サーバ（ホームサーバ）１００に接続される。ユーザ家屋６０内には端末としてのパソコン７０Ａ、テレビ装置７０Ｂ及びオーディオ７０Ｃ等のディスプレイ付情報家電（ホームデバイス）７０が内部ネットワーク（例えば、ＤＬＮＡ（Ｄｉｇｉｔａｌ  Ｌｉｖｉｎｇ  Ｎｅｔｗｏｒｋ  Ａｌｌｉａｎｃｅ、ＵＰｎＰ、ＥＣＨＯＮＥＴ等））によって相互に接続され、この内部ネットワーク（家庭内ネットワーク；ホームネットワーク）は内部サーバ１００に接続されている。なお、内部ネットワークと外部ネットワークはゲートウェイ９０により接続されている。ゲートウェイ９０と内部サーバ１００から内部装置８０が構成されている。
【００１９】
なお、当該端末としてのディスプレイ付情報家電７０を相互に接続する内部ネットワークは有線でも無線でもよい。また、内部ネットワークはＩＰネットワークを含んで構成してもよい。
【００２０】
なお、本実施形態とは異なり、内部サーバ１００を端末としてのディスプレイ付情報家電７０が備えるようにしてもよい。
【００２１】
図示の例では、内部サーバ２０は、外部ネットワーク（ＩＰネットワークを含む）５０を介して接続された外部サーバ（Ｗｅｂサーバ）１０上のコンテンツを、内部ネットワークを介して接続された端末としてのディスプレイ付情報家電７０に送信する。例えば、端末としてのディスプレイ付情報家電７０の一つからコンテンツ要求があると、内部サーバ１００はゲートウェイ９０及び外部ネットワーク５０を介して外部サーバ１０にコンテンツ要求データを送信する。外部サーバ１０は、コンテンツ要求データを受けると、当該コンテンツ要求データに応じた前記コンテンツと前記コンテンツのフォルダによる関連付けとを示すデータをゲートウェイ９０を介して内部サーバ１００に送信する。
【００２２】
そして、内部サーバ１００は、コンテンツと、そのコンテンツのフォルダとの関連付けを示すデータに基づいて、後述するコンテンツツリー構造データ（コンテンツツリー構造データ）に変換し、コンテンツツリー構造データの各ノードにコンテンツを関連付けて内部ネットワークを介してディスプレイ付情報家電７０に送信する。なお、図１に示す例においては、ディスプレイ付情報家電７０に内蔵された内部サーバ１００がコンテンツツリー構造を変換することになる。
［外部サーバのハードウェア構成］
【００２３】
ここで図２を参照して、図１に示す外部サーバ１０のハードウェア構成の一例について説明する。外部サーバ１０は、制御部１０００を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、並びにキーボード及びマウス１１００等の入力手段や表示装置１０２２を備える。
【００２４】
Ｉ／Ｏコントローラ１０７０には、テープドライブ１０７２、ハードディスク１０７４、光ディスクドライブ１０７６、半導体メモリ１０７８、等の記憶手段を接続することができる。ＢＩＯＳ１０６０は、外部サーバ（Ｗｅｂサーバ）１０の起動時にＣＰＵ１０１０が実行するブートプログラムや、外部サーバ（Ｗｅｂサーバ）１０のハードウェアに依存するプログラム等を格納する。
【００２５】
記憶部１０７を構成するハードディスク１０７４は、外部サーバ（Ｗｅｂサーバ）１０がサーバとして機能するための各種プログラム及び本発明の機能を実行するプログラムを記憶しており、さらに必要に応じて各種データベースを構成可能である。
【００２６】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。
【００２７】
光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。また、同様にテープドライブ１０７２に対応したテープメディア１０７１を主としてバックアップのために使用することもできる。
【００２８】
外部サーバ１０に提供されるプログラムは、ハードディスク１０７４、光ディスク１０７７、又はメモリーカード等の記録媒体に格納されて提供される。このプログラムは、Ｉ／Ｏコントローラ１０７０を介して、記録媒体から読み出され、又は通信Ｉ／Ｆ１０４０を介してダウンロードされることによって、外部サーバ１０にインストールされ実行されてもよい。
【００２９】
前述のプログラムは、内部又は外部の記憶媒体に格納されてもよい。ここで、記憶部１０７を構成する記憶媒体としては、ハードディスク１０７４、光ディスク１０７７、又はメモリーカードの他に、ＭＤ等の光磁気記録媒体、テープ媒体を用いることができる。また、専用通信回線やインターネットに接続されたサーバシステムに設けたハードディスク１０７４又は光ディスクライブラリー等の記憶装置を記録媒体として使用し、通信回線を介してプログラムを外部サーバ（Ｗｅｂサーバ）１０に提供してもよい。
【００３０】
ここで、表示装置１０２２は、ユーザにデータの入力を受け付ける画面を表示したり、外部サーバ１０による演算処理結果の画面を表示したりするものであり、ブラウン管表示装置（ＣＲＴ）、液晶表示装置（ＬＣＤ）等のディスプレイ装置を含む。
【００３１】
ここで、入力手段は、ユーザによる入力の受付を行うものであり、キーボード及びマウス１１００等により構成してよい。また、通信Ｉ／Ｆ１０４０は、外部サーバ１０を専用ネットワーク又は公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００３２】
以上の例は、外部サーバ１０のハードウェア構成について主に説明したが、コンピュータに、プログラムをインストールして、そのコンピュータを外部サーバ１０として動作させることにより上記で説明した機能を実現することもできる。したがって、本発明において一実施形態として説明したＷｅｂサーバにより実現される機能は、上述の方法を当該コンピュータにより実行することにより、或いは、上述のプログラムを当該コンピュータに導入して実行することによっても実現可能である。
【００３３】
続いて、図３を参照して、図１に示す外部サーバ１０及び内部サーバ１００の機能構成の一例について説明する。外部サーバ１０は、所定のＵＲＬを表す２次元バーコードを生成するための２次元バーコード生成部１１２、及び、画像データを生成する画像データ生成部１１１を有する。内部サーバ１００は、コンテンツ要求データ受信部２０１、コンテンツ要求データ送信部２０２、ユーザＩＤ・パスワードデータ受信部２０３、ユーザＩＤ・パスワードデータ送信部２０４、コンテンツデータ・フォルダ関連付けデータ受信部２０５、コンテンツツリー構造データ変換部２０６、コンテンツツリー構造データ・コンテンツデータ送信部２０７を備えており、コンテンツツリー構造データ変換部を含むプロトコル変換部２０８を備えており、このプロトコル変換部２０８は、外部サーバ１０と端末としてのディスプレイ付情報家電７０との間のプロトコル変換を行う。
【００３４】
なお、ユーザＩＤ・パスワードデータ受信部２０３は、ＰＣ等の情報端末装置が接続され、ユーザ識別データとしてユーザＩＤ・パスワードデータを受信する。
【００３５】
図４に本発明の好適な実施形態の一例に係るコンテンツ送信処理の手順を示す。まず、内部サーバ１００のコンテンツ要求データ受信部２０１は、内部ネットワーク上のディスプレイ付情報家電７０から、コンテンツを要求するデータを受信する（ステップＳ１０１）。ここで、内部サーバ１００のユーザＩＤ・パスワードデータ受信部２０３は、ＰＣ等から、あらかじめユーザ識別データとしてユーザＩＤ・パスワードデータを受信してもよい。この場合、以降、受信したユーザＩＤ・パスワードデータが内部サーバ１００に設定される。
【００３６】
次に、内部サーバ１００は、受信した当該コンテンツの要求データを、内部ネットワークのプロトコルから、外部ネットワークのプロトコルに変換して、外部ネットワーク５０（図１）を介して外部サーバ１０に送信する（ステップＳ１０２）。この際、内部サーバ１００にユーザＩＤ・パスワードが設定されている場合には、ユーザＩＤ・パスワードデータ送信部２０４は、外部ネットワーク５０を介して外部サーバ１０に当該ユーザＩＤ・パスワードデータをさらに送信する。
【００３７】
外部サーバ１０は、要求されたコンテンツと前記コンテンツのフォルダによる関連付けとを示すデータを内部サーバ１００に外部ネットワーク５０を介して送信する。さらに、外部サーバ１０は、ユーザＩＤ・パスワードデータをさらに受信した場合、当該ユーザＩＤ・パスワードデータが登録されているか否かを判定し、登録済みである場合に、当該ユーザＩＤ・パスワードデータで特定されるユーザにカスタマイズされたコンテンツとリンク構造とを示すデータを送信する。
【００３８】
ここで、外部サーバ１０は、必要に応じて、送信するコンテンツデータを所定の大きさで表示する画像データを生成し、さらに必要に応じて、所定のＵＲＬを表す２次元バーコード（ＱＲコードでもよい）を生成して当該画像データに挿入する（ステップＳ１０３）。その後、外部サーバ１０は、当該コンテンツデータ及び画像データを内部サーバ１００に外部ネットワーク５０を介して送信する。
【００３９】
次に、内部サーバ１００は、コンテンツデータ・フォルダ関連付けデータ受信部２０５によって外部サーバ１０からコンテンツと前記コンテンツのフォルダによる関連付けとを示すデータを受信する（ステップＳ１０４）。
【００４０】
次に、内部サーバ１００のコンテンツツリー構造データ変換部２０６は、当該リンク構造を示すデータに基づいてコンテンツツリー構造データに変換する（ステップＳ１０５）。
【００４１】
次に、内部サーバ１００は、当該コンテンツツリー構造のそれぞれのノードにコンテンツデータをそれぞれ関連付けた後（ステップＳ１０６）、コンテンツツリー構造データ・コンテンツデータ送信部２０７は、内部ネットワーク上の端末としてのディスプレイ付情報家電７０に、コンテンツツリー構造データとコンテンツデータとを送信する（ステップＳ１０７）。ここで、コンテンツデータが上述の外部サーバ１０が生成した画像データを含む場合には、当該内部サーバ１００は、当該画像データをコンテンツデータとして送信する。
【００４２】
そして、内部サーバ１００はさらにコンテンツ要求データがあるか否かを判定し（ステップＳ１０８）、コンテンツ要求データがあればステップＳ１０１に戻って処理を続行し、コンテンツ要求データがなければ、処理を終了する。
【００４３】
ところで、ユーザＩＤ・パスワードを内部サーバ１００に設定する際には、図５に示す本発明の好適な実施形態の一例に係るユーザ識別データ設定処理が行われる。まず、内部サーバ１００に接続されたＰＣ等から、ユーザＩＤ・パスワードデータ受信部２０３が、ユーザ識別データとしてユーザＩＤ・パスワードを設定するデータを受信する（ステップＳ２０１）。
【００４４】
次に、内部サーバ１００はこのユーザＩＤパスワードを図示しないメモリに記憶・保存する（ステップＳ２０２）。なお、このユーザＩＤ・パスワードは内部サーバ１００に複数設定してもよく、その場合には、それ以降、端末としてのディスプレイ付情報家電７０からコンテンツを要求するデータを受信する際に、当該複数のユーザＩＤ・パスワードの中から一を指定するデータをさらに受信してもよい。
【００４５】
続いて、前述のコンテンツ送信方法の一例に関して具体的に説明する。まず、図６を参照すると、図６は本発明の好適な実施形態の一例に係る内部ネットワークの一般的な定義を示す図であり、ここでは、内部サーバ１００（プロキシ）は、外部ネットワーク５０と内部ネットワーク上に存在する情報家電等とを接続するためのインターフェースであり、例えば、宅外とホームネットワークとの接続機能、放送サービス受信機能、ホームネットワーク管理機能、及びミドルウェア変換機能等を有している。一方、ホームネットワークには固有プロトコルドメインが定義され、ここでは、図示のＰＣプレーン、ＡＶプレーン、白物プレーン、及び電話・ＦＡＸ系が存在する。また、内部ネットワークは、電力線ネットワークやＺｉｇｂｅｅ等の無線ネットワークにより実現してもよい。
【００４６】
図７を参照すると、本発明の好適な実施形態の一例に係る外部サーバ（Ｗｅｂサーバ）１０は、ユーザＤＢ及びコンテンツＤＢを備える。コンテンツデータは、例えば、ＪＰＥＧ、ＭＰＥＧ、又はＭＰ３等に変換されて、内部サーバ１００に送信される。この際、外部サーバ１０は、内部サーバ１００がコンテンツデータをフォルダ展開するために、フォルダ指定ＸＭＬを内部サーバ１００に送信してもよい。
【００４７】
この場合、内部サーバ１００は、ＷｅｂサーバがコンテンツＤＢを参照して生成したＸＭＬデータを受信し、このＸＭＬデータに基づいて、コンテンツツリー構造データに変換することになる。
【００４８】
図８は、ＤＢから直接フォルダ化するパターンを示す図であり、例えば、コンテンツＤＢの一つであるニュースＤＢには、ＩＤ、見出し、本文、写真、カテゴリ、及びＵＰ日の欄が備えられており、フォルダ化に当たっては、例えば、ＤＢからＸＭＬを生成し、さらに、ＪＰＥＧデータの生成を行って、フォルダに収納する。同様にして、動画ＤＢ、天気ＤＢについてもフォルダへの収納が行われる。
【００４９】
図示の例では、トップ（トップフォルダ）には、ニュース、動画、及び天気のフォルダが生成され、ニュースホルダを開くと、さらに国内、海外、及び経済のフォルダが生成されている。そして、国内フォルダを開くと、種々のＪＰＥＧファイルが参照可能となる。端末、つまり、ディスプレイ付情報家電７０において、ニュースから国内を選択し、さらに“アアア”ＪＰＥＧファイルを選択すると、該当するファイルが開かれて画面上に表示されることになる。
【００５０】
このようにすることにより、端末、つまり、ディスプレイ付情報家電７０は、Ｗｅｂページのイメージを表示させてＷｅｂブラウザで表示するようなページのイメージを確認することもできるし、フォルダを選択してより下位の階層のフォルダを表示させることもできる。
【００５１】
なお、ＨＴＭＬドキュメントが他のＨＴＭＬドキュメントへのアンカータグを含む場合に、アンカータグが示すＵＲＬを表す２次元バーコード（ＱＲコードでもよい）を生成して画像データに挿入して表示してもよい。
【００５２】
図９は、内部サーバ１００の構成の一例を示す概略図である。図９に示すように、内部サーバ１００は、制御部１００ａと受信コンテンツＤＢ１００ｂを有する。受信コンテンツＤＢ１００ｂは、上述のようにしてコンテンツツリー構造データに変換して収納したコンテンツを格納するための記憶装置である。
【００５３】
図１０は、受信コンテンツＤＢ１００ｂ内のテーブルの一例を示す図である。受信コンテンツＤＢ１００ｂには、図１０（ａ）に示すＩＤテーブルと、図１０（ｂ）に示すコンテンツテーブルが格納されている。上述のツリー構造との関係では、最も末端のＪＰＥＧファイル（図８参照）が、受信コンテンツに該当する。
【００５４】
ＩＤテーブルには、リスト情報と関連付け情報が格納されている。リスト情報は、コンテンツの見出しを示す情報である。リスト情報は、例えば、タイトル、アクセス、取得日時、Ｇコード等で構成される。タイトルは、コンテンツの題名であり、例えば、「北海道一人旅」である。アクセスは、コンテンツを取得するためのテレビチャンネルやＵＲＬである。取得日時は、当該コンテンツを受信した日時である。Ｇコードは、存在する場合に記録される。関連付け情報は、ＩＤテーブルのリスト情報と受信コンテンツテーブルの受信コンテンツとを関連付けるための各コンテンツに固有の数値・英文文字列である。
【００５５】
図１０（ｂ）に示すように、受信コンテンツテーブルの受信コンテンツには、表示順が関連付けられている。受信コンテンツを受信した直後の表示順としては、各受信コンテンツを受信した日時が遅いほど、すなわち、新しい受信コンテンツほど、小さい数字が割り当てられる。後述のように、この表示順は、外部装置２０から受信するリスト付加情報によって、変更させられるようになっている。
【００５６】
図１１は、外部装置２０のデバイス管理サーバ３０の構成を示す概略図である。図１１に示すように、デバイス管理サーバ３０は、制御部３０ａとデバイスＤＢ３０ｂで構成される。
【００５７】
図１２は、デバイスＤＢ３０ｂに格納されているデバイステーブルの一例を示す図である。図１２に示すように、デバイステーブルには、ユーザＩＤとデバイスＩＤとが関連づけられて格納されている。これにより、制御部３０ａは、各ユーザごとにデバイス（ディスプレイ付情報家電）を管理することができる。
【００５８】
図１３は、外部装置２０のリスト管理サーバ４０の構成を示す概略図である。図１３に示すように、リスト管理サーバ４０は、制御部４０ａとリスト管理ＤＢ４０ｂで構成される。
【００５９】
図１４は、リスト管理ＤＢ４０ｂに格納されるリストテーブルの一例を示す図である。図１４に示すように、リストテーブルは、ユーザＩＤ、デバイスＩＤ、リスト情報、リスト更新日、リスト送信日、関連情報ＵＲＬ、関連度及び推薦順位から構成されている。ユーザＩＤはユーザの識別情報であり、デバイスＩＤは各デバイスの識別情報である。そして、リスト情報はコンテンツの見出しを示す情報であり、例えば、タイトル、アクセス先、受信日時、Ｇコードを含む。
【００６０】
図１５は、制御部４０ａの構成を示す概略部である。制御部４０ａは、リスト情報受信部４１、対応コンテンツ抽出部４２、評価判定部４３及びリスト付加情報送信部４４を含む。リスト情報受信部４１は、内部サーバ１００からゲートウェイ９０及びＩＰネットワーク５０を介してＩＤテーブル（図１０（ａ）参照）の中のリスト情報を受信するための構成である。リスト情報受信部４１は、リスト情報受信手段の一例である。対応コンテンツ抽出部４２は、後述するように、リスト情報から抽出した検索語に関連するブログ等のコンテンツを後述のＷＥＢページＤＢから週出するための構成である。対応コンテンツ抽出部４２は、関連コンテンツ取得手段の一例である。評価判定部４３は、抽出したコンテンツ内における検索語についての評価を判定するための構成である。評価判定部４３は、評価基礎情報抽出手段の一例であり、関連度算出手段の一例であり、関連度算出手段の一例であり、さらに、推薦順決定手段の一例である。リスト付加情報送信部４４は、内部サーバ１００のリスト情報を並び替えるためのリスト付加情報を送信するための構成である。
【００６１】
図１６は、対応コンテンツ抽出部４２の構成の一例を示す概略図である。図１６に示すように、対応コンテンツ抽出部４２は、検索語抽出部４２ａ、検索処理部４２ｂ、検索結果生成部４２ｃ、検索ログ記録部４２ｄ及びＷＥＢページＤＢ４２ｅを含む。
【００６２】
図１７は、検索語抽出部４２ａの説明図である。図１７に示すように、検索語抽出部４２ａは、識別情報から例えば、「北海道一人旅」というテキストデータを抽出し、検索語とするための構成である。
【００６３】
図１８は、検索処理部４２ｂによって、上述の検索語を使用して実施された検索の検索結果を示す図である。図１８に示すように、検索結果として、検索語を含むブログ等のコンテンツのアドレスが取得される。
【００６４】
図１９は、評価判定部４３（図１５参照）による評価方法を示す図である。例えば、コンテンツとしてのブログは、図１９（ａ）に示すとおりである。この場合、評価判定部４３は、図１９（ｂ）に示すように、検索語である「北海道一人旅」についての肯定的評価を示す語（以下、「肯定評価語」と呼ぶ）と否定的評価を示す語（以下、「否定評価語」と呼ぶ）を特定する。肯定的評価を示す語はあらかじめ規定されており、例えば、「面白い」、「楽しい」、「価値があり」、「うれしい」、「気持ちいい」、「豪華」、「お得」等である。否定的評価を示す語もあらかじめ規定されており、例えば、「つまらない」、「退屈」、「無価値」、「腹立たしい」、「気持ち悪い」、「貧弱」、「割高」等である。図１９（ｂ）においては、「面白かった」と「お勧め」が肯定評価語として特定され、「残念」が否定的評価語として特定されている。図１９（ｃ）に示すように、評価判定部４３は、検索語に対応する肯定評価語と否定評価語をブログのテキストから抽出する。そして、評価判定部４３は、肯定評価語の数から否定評価語の数を減算し、例えば、図１９（ｄ）に示すように、「北海道一人旅」の評価値として「＋１」を算出する。
【００６５】
さらに、評価判定部４３は、関連度を算出する。関連度とは、特定の検索語がユーザの趣向とどれだけ関連するかを示す指標である。具体的には、関連度は、特定の検索語の形態素と、ユーザの内部サーバ１００に格納されている各コンテンツのリスト情報のうち、テキスト情報から生成される検索語の形態素との重複の度合い示す。
【００６６】
図２０は、関連度算出の一例を示す図である。ここで、基準となる検索語は、「北海道一人旅」であるとする。図２０（ａ）に示すように、その形態素は、「北海道」、「一人」、「旅」であり、基準形態素と呼ぶ。基準となる検索語の形態素と基準形態素は、１００％重複する。そして、「東北一人旅」の形態素は基準形態素と６６％重複し、「金沢一人旅」の形態素も基準形態素と６６％重複する。このように、リスト情報のリスト（図１０（ａ）参照）のすべてのテキスト情報の形態素について、基準形態素との重複度合いを計算し、すべてのテキスト情報の数で割ることによって、関連度を算出する。本実施の形態では、図２０（ｂ）に示すように、７７％である。
【００６７】
図２１は、推薦順の決定方法の一例を示す図である。評価判定部４３は、まず、評価値と関連度に基づいて、推薦基準値を算出する。推薦基準値は、図２１（ａ）に示す式で算出され、関連度を１０分の１にした数値に評価値を加えた値である。図２１（ｂ）に示すように、推薦基準値が大きいほど、推薦順は高くなる。すなわち、評価値が大きく、かつ、関連度も大きいほど、推薦順は高くなる。この推薦順を示す情報は、リスト付加情報の一例である。
以上が、本実施の形態のコンテンツ送信システム１の構成である。次に、主に図２２を使用して、コンテンツ送信システム１の主な動作例を説明する。
【００６８】
図２２は、コンテンツ送信システム１の主な動作例を示す概略フローチャートである。
まず、外部装置２０が、内部サーバ１００からリスト情報を受信する（図２２のステップＳ１）。続いて、外部装置２０が、対応コンテンツを抽出する（ステップＳ２）。続いて、外部装置２０が、コンテンツから評価基礎情報を抽出する（ステップＳ３）。続いて、外部装置２０が、評価値を算出する（ステップＳ４）。
【００６９】
続いて、外部装置２０が、関連度を算出する（ステップＳ５）。続いて、外部装置２０が、推薦基準値を算出する（ステップＳ６）。続いて、外部装置が２０が、推薦順を決定する（ステップＳ８）。続いて、外部装置２０が、推薦順を示すリスト付加情報を送信する（ステップＳ８）。続いて、内部サーバ１００が、リスト付加情報に基づいて、リスト情報を並び替える（ステップＳ９）。続いて、内部サーバ１００が、端末７０の表示装置に並び替え後のリスト情報を表示する。
【００７０】
上述のような構成を備えることにより、外部装置２０は、見出しの表示順序である推薦順を決定し、その推薦順を示すリスト付加情報を内部サーバ１００に送信することができる。推薦順は評価基礎情報と関連度に基づいているから、肯定的な評価が多く、かつ、関連度が高いほど推薦順は高く、ユーザの嗜好に合うように決定される。
そして、内部サーバ１００はリスト付加情報に基づいてリスト情報に示される見出しを並び替え、並び替えた後のリスト情報を表示することができる。
このため、内部サーバ１００は、面白いコンテンツを優先的に情報家電機器の表示装置に表示することができる。
【００７１】
本発明よれば、面白いコンテンツを優先的に情報家電機器の表示装置に表示することができるコンテンツ管理方法を提供することができる。
【００７２】
［第２実施形態］
続いて、第２実施形態のコンテンツ送信システム１Ａを説明する。コンテンツ送信システム１Ａの構成は、第１実施形態のコンテンツ送信システム１と重複する部分が多いから、重複する部分は説明を省略し、相違する部分を中心に説明する。
【００７３】
図２３は、コンテンツ送信システム１Ａを示す概略図である。図２３に示すように、ユーザ家屋６０内においては、携帯音響機器（ｉ−ｐｏｄ（登録商標）等）７０Ｄがパソコン７０Ａと接続可能になっている。内部サーバ１００Ａは、携帯音響機器７０Ｄについても、テレビ装置７０Ｂ等と同様に外部装置２０から受信したリスト付加情報に基づいて並び替えたリスト情報を表示させることができるようになっている。
【００７４】
また、ホテル６１には、ゲートウェイ９１が配置されている。ゲートウェイ９１の構成はゲートウェイ９０と同様である。ゲートウェイ９１にはパソコン７０Ｅ及び携帯電話機７０Ｆが接続可能になっている。
【００７５】
図２４は、内部サーバ１００Ａの制御部１００ａの主な構成を示す概略図である。図２４に示すように、制御部１００ａは、リスト情報要求受信部１０１、リスト付加情報要求送信部１０２及び更新後リスト情報送信部１０３を含む。リスト情報要求受信部１０１は、ユーザ家屋６０に住むユーザの外出先である例えば、ホテル６１内のパソコン７０Ｅから、リスト情報の要求を受信するための構成である。リスト付加情報要求送信部１０２は、内部サーバ１００Ａが、パソコン７０Ｅからのリスト情報の要求を受信した場合に、外部装置２０に対して、リスト情報を送信することによって、リスト付加情報の要求するための構成である。更新後リスト情報送信部１０３は、内部サーバ１００Ａが、外部装置２０から受信したリスト付加情報を使用して並び替えた後のリスト情報をパソコン７０Ｅに送信するための構成である。内部サーバ１００Ａとパソコン７０Ｅとの通信経路は、内部サーバ１００Ａと外部装置２０との通信経路とは別になっている。
続いて、コンテンツ送信システム１Ａの主な動作例を説明する。
【００７６】
図２５及び図２６は、コンテンツ送信システム１Ａの主な動作例を説明する概略フローチャートである。まず、内部サーバ１００Ａが、ホテル６１内のパソコン７０Ｅからリスト情報の要求を受信する（図２５のステップＳ２０）。続いて、内部サーバ１００Ａは、外部装置２０にリスト情報を送信し、リスト付加情報を要求する（ステップＳ２１）。ステップＳ２２乃至ステップＳ３０は、第１実施形態のステップＳ１乃至ステップＳ９と同様であるから、説明を省略する。
【００７７】
ステップＳ３０に続いて、内部サーバ１００Ａが、並び替え後のリスト情報をパソコン７０Ｅに送信する（ステップＳ３１）。続いて、パソコン７０Ｅは、リスト情報を受信し（ステップＳ３２）、表示装置に表示する（ステップＳ３３）。続いて、パソコン７０Ｅは、内部サーバ１００Ａからユーザが選択したコンテンツを受信する（ステップＳ３４）。
【００７８】
上述のように、ユーザ家屋６０に住むユーザは、例えば、旅先のホテル６１においても、ＩＰネットワーク５０を介してユーザ家屋６０内の内部装置８０にアクセスし、内部サーバ１００Ａに格納されたリスト情報を受信することができる。例えば、パソコン７０Ｅがゲートウェイ９０にアクセスすると、内部サーバ１００Ａがゲートウェイ９０及びＩＰネットワーク５０を介して外部装置２０にアクセスしてリスト付加情報を要求し、受信したリスト付加情報を使用してリスト情報を並び替えるようになっている。そして、リスト情報を並び替えたのちに、そのリスト情報をパソコン７０Ｅに送信するようになっている。ユーザは、パソコン７０Ｅに表示されたリスト情報を閲覧し、所望のコンテンツの見出しを選択すると、内部サーバ１００Ａから対応するコンテンツを受信することができるようになっている。
【００７９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８０】
【図１】第１実施形態に係るコンテンツ送信システムの構成を示す概略図である。
【図２】Ｗｅｂサーバの一例を示す機能ブロック図である。
【図３】内部サーバの構成の一例を示すブロック図である。
【図４】コンテンツ送信処理の一例を示す概略フローチャートである。
【図５】ユーザ識別データ設定処理の一例を示す概略フローチャートである。
【図６】一般的なホームネットワークの定義の説明図である。
【図７】コンテンツ送信システムのシステム構成の一例を示す図である。
【図８】データベース（ＤＢ）から直接フォルダ化するパターンを示す図である。
【図９】内部サーバの構成の一例を示す概略図である。
【図１０】ＩＤテーブル等の一例を示す図である。
【図１１】デバイス管理サーバの構成の一例を示す概略図である。
【図１２】デバイステーブルの一例を示す図である。
【図１３】リスト管理サーバの構成の一例を示す概略図である。
【図１４】リストテーブルの一例を示す図である。
【図１５】リスト管理サーバの制御部の構成の一例を示す概略図である。
【図１６】対応コンテンツ抽出部の構成の一例を示す概略図である。
【図１７】検索語抽出部の説明図である。
【図１８】検索結果の一例を示す図である。
【図１９】評価値の決定方法の一例を示す図である。
【図２０】関連度算出方法の一例を示す図である。
【図２１】推薦順決定方法の一例を示す図である。
【図２２】コンテンツ送信システムの動作例を示す概略フローチャートである。
【図２３】第２実施形態に係るコンテンツ送信システムの構成を示す概略図である。
【図２４】内部サーバの構成の一例を示すブロック図である。
【図２５】コンテンツ送信システムの動作例を示す概略フローチャートである。
【図２６】コンテンツ送信システムの動作例を示す概略フローチャートである。
【符号の説明】
【００８１】
１  コンテンツ送信システム
１０  外部サーバ（Ｗｅｂサーバ）
２０  外部装置
３０  デバイス管理サーバ
４０  リスト管理サーバ
４１  ＲＩＳＵＴＯ  情報受信部
４２  対応コンテンツ抽出部
４２ａ  検索語抽出部
４２ｂ  検索処理部
４２ｃ  検索結果生成部
４２ｄ  検索ログ記録部
４３  評価判定部
４４  リスト付加情報送信部
５０  ＩＰネットワーク
７０Ａ  パソコン
７０Ｂ  テレビ装置
７０Ｃ  オーディオ装置
７０Ｄ  形態音響装置
８０  内部装置
９０  ゲートウェイ
１００  内部サーバ
【図１】
2008262460.tif 000003
【図２】
2008262460.tif 000004
【図３】
2008262460.tif 000005
【図４】
2008262460.tif 000006
【図５】
2008262460.tif 000007
【図６】
2008262460.tif 000008
【図７】
2008262460.tif 000009
【図８】
2008262460.tif 000010
【図９】
2008262460.tif 000011
【図１０】
2008262460.tif 000012
【図１１】
2008262460.tif 000013
【図１２】
2008262460.tif 000014
【図１３】
2008262460.tif 000015
【図１４】
2008262460.tif 000016
【図１５】
2008262460.tif 000017
【図１６】
2008262460.tif 000018
【図１７】
2008262460.tif 000019
【図１８】
2008262460.tif 000020
【図１９】
2008262460.tif 000021
【図２０】
2008262460.tif 000022
【図２１】
2008262460.tif 000023
【図２２】
2008262460.tif 000024
【図２３】
2008262460.tif 000025
【図２４】
2008262460.tif 000026
【図２５】
2008262460.tif 000027
【図２６】
2008262460.tif 000028